(57)【要約】【課題】ストロボ発光部のホップアップ機能を備えたストロボ装置を内蔵させたストロボ内蔵カメラに、観察角度を適宜に変更可能な外付ＥＶＦ装置等の外付ユニットを装着可能なストロボ内蔵カメラ及びこのカメラに外付け可能なカメラ用外付ユニットを提供する。【解決手段】カメラ本体１のアクセサリーシュー７内に、外付ユニット８の装着を検知する検知手段２３を設け、当該検知手段２３の検知信号によってストロボ発光部４ｂの露呈位置への移動を禁止するストロボ移動禁止手段を備えているので、外付ユニット８を装着した際に、ストロボ発光部４ｂのポップアップ移動が阻止されて外付ユニット８とストロボ発光部４ｂの衝突を未然に防止することができる。【選択図】図８
2008262141.tif 000002
【特許請求の範囲】
【請求項１】
ストロボ発光部が組み込まれたユニットケースに一対のステーを連接して当該ステーをカメラ本体に揺動自在に軸着し、ストロボ発光部がカメラ本体から露呈した露呈位置とストロボ発光部がカメラ本体内に収納された収納位置との間で前記ユニットケースを移動自在にしたストロボ内蔵カメラにおいて、
前記カメラ本体上部の前記一対のステーの間に形成したアクセサリーシューと、当該アクセサリーシュー内に設けられ、外付ユニットの装着を検知する検知手段と、当該検知手段からの検知信号によって、前記ストロボ発光部の露呈位置への移動を禁止するストロボ移動禁止手段と、前記カメラ本体の背面の前記アクセサリーシューの下方位置に、前記外付ユニットの複数の接続端子を有する接続部材を挿入可能な開口部と、当該開口部内に前記外付ユニットの接続部材と電気的接続を行うコネクタ部と、を備えたことを特徴とするストロボ内蔵カメラ。
【請求項２】
請求項１記載のストロボ内蔵カメラにおいて、
前記外付ユニットは、カメラ本体で撮像された画像を観察する電子ビューファインダ装置であることを特徴とするストロボ内蔵カメラ。
【請求項３】
請求項１または２記載のストロボ内蔵カメラにおいて、
前記検知手段からの検知信号によって、前記ストロボ発光部の露呈位置への移動を禁止されたとき、前記カメラ本体は、前記ストロボ発光部の露呈位置への移動が禁止されていることを表示する移動禁止表示手段を備えていることを特徴とするストロボ内蔵カメラ。
【請求項４】
請求項１乃至３のいずれか１項記載のストロボ内蔵カメラにおいて、
前記検知手段からの検知信号によって、前記ストロボ発光部の露呈位置から収納位置へ移動させる移動手段を備えると共に、前記ストロボ発光部が収納位置に移動した後前記ストロボ発光部の露呈位置への移動を禁止する禁止手段を備えることを特徴とするストロボ内蔵カメラ。
【請求項５】
請求項４記載のストロボ内蔵カメラにおいて、
前記カメラ本体に設けられ、前記移動手段によって前記ストロボ発光部が露呈位置から収納位置へ移動させられたとき、前記ストロボ発光部でのストロボ発光がされないことを表示するストロボ発光停止表示手段を備えたことを特徴とするストロボ内蔵カメラ。
【請求項６】
ストロボ発光部が組み込まれたユニットケースに一対のステーを連接して当該ステーをカメラ本体に揺動自在に軸着し、ストロボ発光部がカメラ本体から露呈した露呈位置とストロボ発光部がカメラ本体内に収納された収納位置との間で前記ユニットケースを移動自在にしたストロボ内蔵カメラにおいて、
前記カメラ本体上部の前記一対のステーの間に形成されるアクセサリーシューと、前記カメラ本体に設けられ前記外付ユニットの回動位置への回動を検知する検知手段と、該検知手段からの検知信号によって、前記ストロボ発光部の露呈位置への移動を禁止するストロボ移動禁止手段と、を備え、
前記アクセサリーシュー内に装着される外付ユニットは、当該アクセサリーシューに対して水平位置と回動位置へ回動可能に形成されていることを特徴とするストロボ内蔵カメラ。
【請求項７】
請求項６記載のストロボ内蔵カメラにおいて、
前記外付ユニットは、カメラ本体で撮像された画像を観察する電子ビューファインダ装置であることを特徴とするストロボ内蔵カメラ。
【請求項８】
カメラ本体の上部に形成されたアクセサリーシューと嵌合する嵌合突部を底部に有し、カメラ本体の前記アクセサリーシュー内に形成された係合凹部と係合するロック爪部を底面から突没自在に設け、後方から下方に突出する保持部と当該保持部から前方に突出するカメラ本体のコネクタ部と電気的接続を行う接続部材とを備えたことを特徴とするカメラ用外付ユニット。
【請求項９】
請求項８記載のカメラ用外付ユニットにおいて、
前記外付ユニットは、カメラ本体で撮像された画像を観察する電子ビューファインダ装置であることを特徴とするカメラ用外付ユニット。
【請求項１０】
ストロボ発光部が組み込まれたユニットケースに一対のステーを連接して当該ステーをカメラ本体に揺動自在に軸着し、ストロボ発光部がカメラ本体から露呈した露呈位置とストロボ発光部がカメラ本体内に収納された収納位置との間で前記ユニットケースを移動自在にしたストロボ内蔵カメラにおいて、
前記カメラ本体上部の前記一対のステーの間に形成したアクセサリーシューと、前記アクセサリーシュー内へ外付ユニットが装着されたときに前記ストロボ発光部の露呈位置への移動を禁止するストロボ移動禁止部材と、を備えたことを特徴とするストロボ内蔵カメラ。
【請求項１１】
請求項１０記載のストロボ内蔵カメラにおいて、
前記外付ユニットは、カメラ本体で撮像された画像を観察する電子ビューファインダ装置であることを特徴とするストロボ内蔵カメラ。
【請求項１２】
請求項１０記載のストロボ内蔵カメラに装着可能なカメラ用外付ユニットであって、
前記外付ユニットを前記アクセサリーシュー内に装着したときに、前記ストロボ移動禁止部材による前記ストロボ発光部の移動の禁止を解除する解除手段を備えたことを特徴とするカメラ用外付ユニット。
【発明の詳細な説明】
【技術分野】
【０００１】
本発明は、ポップアップ式ストロボを内蔵したストロボ内蔵カメラ及び当該ストロボ内蔵カメラに装着可能なカメラ用外付ユニットに関する。
【背景技術】
【０００２】
被写体光をＣＣＤイメージセンサ等の撮像手段で光電信号に変換して画像を記録する方式のカメラ、いわゆるデジタルカメラが知られている。このデジタルカメラにおいては、容易に暗視野での撮影を行うために、カメラ本体にストロボ装置を内蔵させたものが使用されている。このストロボ撮影時の赤目現象を軽減するために、ストロボ発光部をカメラ本体内に収納する収納位置と、カメラ本体から露呈する露呈位置との間で移動自在にするポップアップ機能を内蔵したデジタルカメラも知られている。
また、デジタルカメラにおいては、撮影後、記録した画像を再生して表示するための表示手段として、例えば、ＬＣＤパネル（液晶パネル）が設けられている。この再生用ＬＣＤパネルは、ＣＣＤイメージセンサからの光電信号に基づいて被写体像を表示させてファインダとして使用されているが、このようなファインダでは、被写体像を観察する際に、ファインダから目を遠ざけて観察する必要があり、繊細な被写体像を観察するには、十分な観察を行うことが困難であった。そのため、ＣＣＤイメージセンサからの光電信号に基づいて画像を表示する小型のＬＣＤと、この小型ＬＣＤに表示された像を拡大する接眼レンズとからなる電子ビューファインダ（以下ＥＶＦ装置という）をカメラ本体に内蔵させ、このＥＶＦ装置の接眼レンズに眼を当てて被写体像を観察するものが知られている（例えば特許文献１参照）。
【特許文献１】特開２００２−４０５３９公報
【発明の開示】
【発明が解決しようとする課題】
【０００３】
特許文献１記載のものでは、ストロボ発光部のポップアップ機能を備えたストロボ装置とＥＶＦ装置の両方をカメラ本体内に内蔵するので、前述の両方の機能を適切に発揮することができる。しかしながら、ストロボ発光部のポップアップ機能を備えたストロボ装置とＥＶＦ装置の両方をカメラ本体内に内蔵させるため、カメラが大型化するだけでなく、ＥＶＦ装置はカメラ本体の背面からのみ被写体像を観察するように固定して取り付けられるため、被写体が地面に近接している場合等には、撮影者が地面に横たわって観察しなければならない等の使い勝手が悪いという問題がある。
本発明は、上記実情を考慮してなされたものであり、ストロボ発光部のポップアップ機能を備えたストロボ装置を内蔵させたストロボ内蔵カメラに、観察角度を適宜に変更可能な外付ＥＶＦ装置等の外付ユニットを装着可能なストロボ内蔵カメラ及びストロボ内蔵カメラに外付け可能なカメラ用外付ユニットを提供することを目的とする。
【課題を解決するための手段】
【０００４】
上記課題を解決するために、請求項１の発明は、ストロボ発光部が組み込まれたユニットケースに一対のステーを連接して当該ステーをカメラ本体に揺動自在に軸着し、ストロボ発光部がカメラ本体から露呈した露呈位置とストロボ発光部がカメラ本体内に収納された収納位置との間で前記ユニットケースを移動自在にしたストロボ内蔵カメラにおいて、前記カメラ本体上部の前記一対のステーの間に形成したアクセサリーシューと、当該アクセサリーシュー内に設けられ、外付ユニットの装着を検知する検知手段と、当該検知手段からの検知信号によって、前記ストロボ発光部の露呈位置への移動を禁止するストロボ移動禁止手段と、前記カメラ本体の背面の前記アクセサリーシューの下方位置に、前記外付ユニットの複数の接続端子を有する接続部材を挿入可能な開口部と、当該開口部内に前記外付ユニットの接続部材と電気的接続を行うコネクタ部と、を備えたことを特徴とする。
また、請求項２の発明は、請求項１記載のストロボ内蔵カメラにおいて、前記外付ユニットは、カメラ本体で撮像された画像を観察する電子ビューファインダ装置であることを特徴とする。
【０００５】
また、請求項３の発明は、請求項１または２記載のストロボ内蔵カメラにおいて、前記検知手段からの検知信号によって、前記ストロボ発光部の露呈位置への移動を禁止されたとき、前記カメラ本体は、前記ストロボ発光部の露呈位置への移動が禁止されていることを表示する移動禁止表示手段を備えていることを特徴とする。
また、請求項４の発明は、請求項１乃至３のいずれか１項記載のストロボ内蔵カメラにおいて、前記検知手段からの検知信号によって、前記ストロボ発光部の露呈位置から収納位置へ移動させる移動手段を備えると共に、前記ストロボ発光部が収納位置に移動した後前記ストロボ発光部の露呈位置への移動を禁止する禁止手段を備えることを特徴とする。
また、請求項５の発明は、請求項４記載のストロボ内蔵カメラにおいて、前記カメラ本体に設けられ、前記移動手段によって前記ストロボ発光部が露呈位置から収納位置へ移動させられたとき、前記ストロボ発光部でのストロボ発光がされないことを表示するストロボ発光停止表示手段を備えたことを特徴とする。
【０００６】
また、請求項６の発明は、ストロボ発光部が組み込まれたユニットケースに一対のステーを連接して当該ステーをカメラ本体に揺動自在に軸着し、ストロボ発光部がカメラ本体から露呈した露呈位置とストロボ発光部がカメラ本体内に収納された収納位置との間で前記ユニットケースを移動自在にしたストロボ内蔵カメラにおいて、前記カメラ本体上部の前記一対のステーの間に形成されるアクセサリーシューと、前記カメラ本体に設けられ前記外付ユニットの回動位置への回動を検知する検知手段と、該検知手段からの検知信号によって、前記ストロボ発光部の露呈位置への移動を禁止するストロボ移動禁止手段と、を備え、前記アクセサリーシュー内に装着される外付ユニットは、当該アクセサリーシューに対して水平位置と回動位置へ回動可能に形成されていることを特徴とする。
また、請求項７の発明は、請求項６記載のストロボ内蔵カメラにおいて、前記外付ユニットは、カメラ本体で撮像された画像を観察する電子ビューファインダ装置であることを特徴とする。
【０００７】
また、請求項８の発明は、カメラ本体の上部に形成されたアクセサリーシューと嵌合する嵌合突部を底部に有し、カメラ本体の前記アクセサリーシュー内に形成された係合凹部と係合するロック爪部を底面から突没自在に設け、後方から下方に突出する保持部と当該保持部から前方に突出するカメラ本体のコネクタ部と電気的接続を行う接続部材とを備えたことを特徴とするカメラ用外付ユニットとしたものである。
また、請求項９の発明は、請求項８記載のカメラ用外付ユニットにおいて、前記外付ユニットは、カメラ本体で撮像された画像を観察する電子ビューファインダ装置であることを特徴とする。
【０００８】
また、請求項１０の発明は、ストロボ発光部が組み込まれたユニットケースに一対のステーを連接して当該ステーをカメラ本体に揺動自在に軸着し、ストロボ発光部がカメラ本体から露呈した露呈位置とストロボ発光部がカメラ本体内に収納された収納位置との間で前記ユニットケースを移動自在にしたストロボ内蔵カメラにおいて、前記カメラ本体上部の前記一対のステーの間に形成したアクセサリーシューと、前記アクセサリーシュー内へ外付ユニットが装着されたときに前記ストロボ発光部の露呈位置への移動を禁止するストロボ移動禁止部材と、を備えたことを特徴とする。
また、請求項１１の発明は、請求項１０記載のストロボ内蔵カメラにおいて、前記外付ユニットは、カメラ本体で撮像された画像を観察する電子ビューファインダ装置であることを特徴とする。
また、請求項１２の発明は、請求項１０記載のストロボ内蔵カメラに装着可能なカメラ用外付ユニットであって、前記外付ユニットを前記アクセサリーシュー内に装着したときに、前記ストロボ移動禁止部材による前記ストロボ発光部の移動の禁止を解除する解除手段を備えたことを特徴とする。
【発明の効果】
【０００９】
本発明によれば、上記構成を採用することによって、ストロボ発光部のポップアップ機能を備えたストロボ装置を内蔵させたストロボ内蔵カメラに、観察角度を適宜に変更可能な外付ＥＶＦ装置等の外付ユニットを装着可能なストロボ内蔵カメラ及びこのカメラに外付け可能なカメラ用外付ユニットを提供することが可能となる。
【発明を実施するための最良の形態】
【００１０】
以下、図面を参照して、本発明の実施形態を詳細に説明する。
［実施例１］
図１は、本発明による一実施形態のストロボ内蔵カメラを示す図である。本実施例によるストロボ内蔵カメラは、デジタルカメラで、カメラ本体１の中央部に撮影レンズ２が組み込まれた鏡筒部３と、後述するストロボ発光部が組み込まれたストロボ発光部ユニット４とを備えている。鏡筒部３の背後には、撮像手段であるＣＣＤイメージセンサがカメラ本体に取り付けられ、カメラ本体１には、ＣＣＤイメージセンサから送られる光電信号に対してＡ／Ｄ変換等を行って画像データを生成する画像処理回路、生成された画像データを記憶するためのメモリ、ストロボ回路、調光回路が組み込まれた回路基板（図示せず）やカメラ各部を制御する制御回路等が形成された回路基板、撮影した画像を再生表示する他各種の設定を行うための操作画面等を表示する再生用ＬＣＤパネル等各種撮影機構が組み込まれている。
カメラ本体１の上部には、図２に示すように、シャッタボタン５や後述するストロボ発光部をポップアップ作動させるためのポップアップボタン６等が取り付けられており、ストロボ発光部ユニット４の後方には、アクセサリーシュー７が形成されている。アクセサリーシュー７は、その両端にそれぞれ前後に平行して延びる２本の屈曲部７ａが形成されており、これらの屈曲部７ａの下方に、後述する外部ユニットの嵌合突部と嵌合する嵌合溝部７ｂが、後方が開放された状態でそれぞれ形成されている。アクセサリーシュー７の中央部には、外部ユニットと接続するための接続端子７ｃが形成されており、この接続端子７ｃの前方には、後述する外部ユニットのロック部材のロック爪部と係合する係合凹部７ｄが形成されている。
【００１１】
図３は、本実施例の外部ユニットの一実施形態のＥＶＦ装置の外形を示す斜視図、図４は、図３で示すＥＶＦ装置を背面方向から見た斜視図、図５は、図３のＡ−Ａ線上で切断した断面図を示している。ＥＶＦ装置８は、図５に示すように、小型のＬＣＤパネル９と、ＬＣＤパネル９に形成された画像を拡大するレンズ部１０と、拡大された画像を形成する視野窓１１とを備えた視野ユニット部１７を有している。ＬＣＤパネル９は、１６ピンの複数の接続端子を有するコネクタピンからなる接続部材１３を通じて、カメラ本体１の撮影レンズ２で撮影されたＣＣＤイメージセンサの画像データを再生するようになっている。即ち、カメラ本体１の撮影レンズ２で撮影された画像は、ＬＣＤパネル９によって再生され、視野窓１１を通じて使用者が覗きこむことによって、繊細な画像を覗きながらシャッタチャンスを決定することができる。
このＥＶＦ装置８は、図３及び図４に示すように、その底部８ｂに前述のアクセサリーシュー７の嵌合溝部７ｂに嵌合する嵌合突部８ａが形成されており、この嵌合突部８ａをアクセサリーシュー７の嵌合溝部７ｂ内に嵌合させて、ＥＶＦ装置８を前方に押し込み挿入することによってＥＶＦ装置８のアクセサリーシュー７からの上方への脱却を阻止している。
【００１２】
また、ＥＶＦ装置８の底部８ｂには、図５に示すように、右端で軸支されて上下方向に回動自在に取り付けられ、図示しないばね部材によって、常時下方に引張付勢されたロック部材１４が取り付けられている。このロック部材１４の左方の先端には、ロック爪部１４ａが底部８ｂの底面８ｃから突没自在に取り付けられている。従って、前述のように、嵌合突部８ａをアクセサリーシュー７の嵌合溝部７ｂ内に嵌合させて、ＥＶＦ装置８を前方に押し込み挿入することによってアクセサリーシュー７の上面をロック爪部１４ａの先端が摺接しながらアクセサリーシュー７の係合凹部７ｄ内に入り込み、ＥＶＦ装置８の後方への移動を阻止して、アクセサリーシュー７からの離脱を防止している。このロック爪部１４ａの係合凹部７ｄからの係合を解除する場合には、ロック爪解除ボタン１５を前方に押し込むことにより、レバー作用によって、前述のばね部材による引張付勢力に抗してロック爪部１４ａを上方に押し上げ、ロック爪部１４ａの係合凹部７ｄからの係合を解除し、ＥＶＦ装置８を後方に引き出すことによって、ＥＶＦ装置８をカメラ本体１から脱却することが可能となる。
【００１３】
また、ＥＶＦ装置８の底部８ｂには、下方に突出した保持部２５が設けられており、この保持部２５の下端から前方に向けて嵌合突部８ａの嵌合溝部７ｂとの嵌合方向と平行に延びた接続部材１３が取り付けられている。接続部材１３は、その表面に複数、例えば１６個の接続端子が形成されており、これらの接続端子は、ＬＣＤパネル９と電気的に接続されており、後述するように、ＥＶＦ装置８をカメラ本体１に装着した際に、カメラ本体１のコネクタ部と電気的に接続してカメラ本体１のＣＣＤイメージセンサで撮像された画像を画像データとしてコネクタ部を介してＬＣＤパネル９に送給して、当該画像を再生するようになっている。このように、接続部材１３を保持部２５の下端から前方に向けて嵌合突部８ａの嵌合溝部７ｂとの嵌合方向と平行に延びて形成しているので、ＥＶＦ装置８のアクセサリーシュー７への装着操作に伴って適切に、カメラ本体１のコネクタ部との電気的接続を行うことができる。
【００１４】
さらに、このＥＶＦ装置８は、支軸１６を基点として前述の視野ユニット部１７がカメラ本体１の撮影レンズ２の光軸と平行な光軸を有する標準位置（水平位置）から例えば垂直な光軸となるような位置（垂直位置）に回動可能となっており、いわゆるチルト機構を備えている。即ち、被写体が地面に近接している場合には、垂直位置に、視野ユニット部１７を回動させて視野窓１１から覗き込めば、使用者は、地面に横たわることなく、屈みこんだ状態で、上から視野窓１１を覗き込む姿勢で楽に被写体を観察することが可能となる。なお、図３及び図４で示す符号１８は、視野ユニットロック部材で、視野ユニット１７を水平位置及び垂直位置に固定するロック部材である。また、図３〜図５で示す１２は、使用者が視野窓１１を覗き込む際に、眼を押し当てて外光が視野窓１１に入り込むことを防止するフードである。
【００１５】
次に、ＥＶＦ装置８をカメラ本体１に装着した場合について説明する。図６は、ＥＶＦ装置８をカメラ本体１に装着した正面図、図７は、その背面図、図８は、図６のＢ−Ｂ線上で切断した断面図である。カメラ本体１の背面１ａのアクセサリーシュー７の下方位置には開口１９が形成されており、この開口１９の内部には、ＥＶＦ装置８の接続部材１３のコネクタピンと電気的に接続する複数、例えば１６端子の接続端子を有するコネクタ部２０が設けられており、このコネクタ部２０には、カメラ本体１のＣＣＤイメージセンサで撮像された画像データを送給するデータ線が接続されている。
このコネクタ部２０には、嵌合突部８ａをアクセサリーシュー７の嵌合溝部７ｂ内に嵌合させて、ＥＶＦ装置８を前方に押し込み挿入することによってＥＶＦ装置８の接続部材１３が開口１９を通じて挿入され、ロック爪部１４ａがカメラ本体１の係合凹部７ｄと係合した際に、接続部材１３の接続端子が対応するコネクタ部２０の接続端子と電気的に接続されるようになっている。
【００１６】
一方、カメラ本体１の係合凹部７ｄには、一端が支軸２１によって支持されて上下動自在に取り付けられた検知レバー２２の他端２２ａが係合凹部７ｄの表面から突没自在に設けられている。検知レバー２２の他端２２ａの下部には、プッシュ式の検知スイッチ２３が取り付けられており、アクセサリーシュー７内にＥＶＦ装置８が装着されていない場合には、常時検知レバー２２の他端２２ａを上方に押し上げ（点線で示す位置）、ＥＶＦ装置８が装着されたとき、ロック爪部１４ａの先端が検知レバー２２の他端２２ａの上面を押圧して、下降させ（実線で示す位置）、検知スイッチ２３をＯＮ状態に作動させる。この検知スイッチ２３がＯＮ状態となって、ＥＶＦ装置がアクセサリーシュー７内に適切に装着されたことを検知して、後述するように、ストロボ発光部の露呈位置への移動等を禁止する処理を行う。なお、図７中、２４は、カメラ本体１のＣＣＤイメージセンサで撮像された画像を再生するＬＣＤ再生パネル等の表示装置である。
【００１７】
次に、ストロボ発光部ユニット４について、図９及び図１０に基づいて説明する。ストロボ発光部ユニット４は、ユニットケース４ａの前面に、放電管や反射板等が組み込まれてカメラ本体１の前方に発光するストロボ発光部４ｂを備えている。ユニットケース４ａには、その後端部にアクセサリーシュー７を介して離隔している一対のステー４ｃが後方に向かって延設されており、この一対のステー４ｃは、ストロボ発光部ユニット４をユニット収納部４ｄに取り付けるための支持部である。各ステー４ｃの後端部とユニット収納部４ｄとは、図示されない支軸によって連結されており、ストロボ発光部ユニット４はこの支軸を中心に収納位置（図１０参照）と露呈位置（図９参照）との間で回動可能に取り付けられている。この回動時に、一対のステー４ｃは、ストロボ発光部ユニット４をポップアップさせるためのアームとなり、ポップアップ機構を構成する。
収納位置は、ストロボ発光部４ｂをカメラ本体１内に収納する位置であり、ストロボ不使用時には、この位置にセットされる。ストロボ発光部４ｂが収納位置にあるときは、ユニット収納部４ｄの前端部に形成されたカバー部４ｅによってストロボ発光部４ｂが覆われる。露呈位置は、ストロボ発光部４ｂがカメラ本体１の上方に露呈される位置であり、ストロボ発光時にこの位置にセットされる。
【００１８】
ストロボ発光部ユニット４は、図示しないバネによって露呈位置に付勢されており、非使用時には、ステー４ｃに設けられた係合突起４ｆが図示しないカメラ本体１内に設けられたロック部材（図示せず）と係合して収納位置に保持される。係合突起４ｆとロック部材の係合を解除するには、ポップアップボタン６を押圧することによって、係合突起４ｆとロック部材の係合を解除することが可能となり、この係合が解除されると前記バネ力によって、ストロボ発光部４ｂがポップアップして上昇する。
ＥＶＦ装置８が、例えば、垂直位置に直立させた場合等、前方に突出して、ＥＶＦ装置８の前端がストロボ発光部ユニット４の後端と当接するような状態の場合には、ストロボ発光部４ｂの上方への回動によって、ストロボ発光部ユニット４の後端がＥＶＦ装置８の前端と当接してストロボ発光部４ｂを破損する恐れがある。このような事故を防止するために、本実施例においては、前述のカメラ本体１に設けられた検知レバー２２によってＥＶＦ装置８のアクセサリーシュー７内への装着が検出されたときに、この検知信号によってポップアップボタン６を押圧しても係合突起４ｆとロック部材の係合は解除されず、係合状態を維持してストロボ発光部４ｂのポップアップ動作を禁止するようになっている。
【００１９】
図１１は、この制御を行うブロック回路図で、外付ユニット装着検知手段（検知スイッチ）２３からの検知信号によって、制御部２７を介してストロボ移動禁止手段２８を作動させて、係合突起４ｆとロック部材の係合を維持するレバー等を突出させ係合の解除を禁止するようにしている。外付ユニットを装着した際に、ストロボ発光部４ｂが収納位置にセットされているか否かを確認する必要があり、係合突起４ｆとロック部材の係合を検知するストロボ収納位置検知手段２６によって、ストロボ発光部４ｂが収納位置にセットされていることを確認した上でストロボ移動禁止手段２８が作動するように、制御部２７で制御している。
また、外付ユニットを装着した際に、ストロボ発光部４ｂが露呈位置にセットされている場合には、外付ユニット装着検知手段２３の検知信号に基づいて、圧電素子等のストロボ移動手段３０を使用して、強制的に、ストロボ発光部４ｂを収納位置に移動させるようになっている。このように、外付ユニットを装着した際に、ストロボ発光部４ｂが露呈位置にセットされている場合に、ストロボ移動手段３０を使用して、強制的に、ストロボ発光部４ｂを収納位置に移動させるようにしているので、不慮に外付ユニットを垂直位置に回動させた際に起こるストロボ発光部ユニット４と外付ユニットとの衝突の事故を未然に防止することが可能となる。
【００２０】
さらに、本実施例においては、外付ユニット装着検知手段（検知スイッチ）２３からの検知信号によって、制御部２７を介してストロボ移動禁止手段２８を作動させる場合には、当該検知信号によって、ストロボ発光部４ｂの移動が禁止されていること、及び、またはストロボが発光されないことを表示手段２９を作動させてカメラ本体１の表示装置２４で表示するようにしている。従って、使用者は、ストロボが作動しないことを認識しながら被写体の撮影を適切に行うことが可能となる。この場合に、前記表示手段２９として表示装置２４での表示に代えて警告灯の点灯等の表示手段も使用可能である。
以上のように、本実施例によるストロボ内蔵カメラにおいて、カメラ本体１のアクセサリーシュー７内に、外付ユニットの装着を検知する検知手段を設け、当該検知手段の検知信号によってストロボ発光部４ｂの露呈位置への移動を禁止するストロボ移動禁止手段を備えているので、外付ユニットを装着した際に、ストロボ発光部４ｂのポップアップ移動が阻止されて外付ユニットとストロボ発光部の衝突を未然に防止することができる。
【００２１】
［実施例２］
図１２は、本発明による他の実施形態の外付ユニットであるＥＶＦ装置の概略構成を示す断面図である。図１２中、実施例１の構成と同一構成については、同一符号を付し、説明を省略する。本実施例に係るＥＶＦ装置８は、基本的には、前述の実施例１の構成と同じであるが、ロック爪部１４ａを有するロック部材１４のロック機構及び、ストロボ発光部４ｂの露呈位置への移動を禁止するストロボ移動禁止手段２８を作動させるトリガーとなる検知信号の形成手段が相違している。
即ち、ロック機構は、図１２に示すように、ＥＶＦ装置８の前方に設けられ、ロック爪解除ボタン１５とロック部材１４が連結され、ロック部材１４は支軸１４ｂで回動自在に取り付けられ、ロック爪部１４ａが常時、上方に押圧するようにバネ付勢されている。一方、カメラ本体１の前面には、図１３に示すように、ロック爪部１４ａと係合する突起部３１が形成されており、ガイド３２に沿って挿入されたＥＶＦ装置８がそのロック爪部１４ａとケース本体の突起部３１とが係合することによって、ＥＶＦ装置８の後方への移動をロックするようになっている。この係合を解除する際には、ロック爪解除ボタン１５を上方に押し上げることによって、ロック部材１４のロック爪部１４ａが下方に回動され、カメラ本体１の突起部３１との係合が外れ、ＥＶＦ装置８の後方への移動を可能にしている。
【００２２】
この場合、ロック爪部１４ａと突起部３１の係合を検知して、実施例１の場合と同様に、この検知信号に基づいて、ストロボ発光部４ｂの露呈位置への移動を禁止するストロボ移動禁止手段２８を作動するようにすることができる。しかしながら、本実施例においては、ＥＶＦ装置８の視野ユニット１７を垂直位置に移動させたときに、ＥＶＦ装置とストロボ発光部ユニット４とが衝突する恐れがあるため、この事故の発生を防ぐため、視野ユニット１７の回動支軸１６に、図１４に示すカムスイッチ３３を取り付け、視野ユニット１７が水平位置から垂直位置に回動された（図１４（Ａ）参照）際に検知信号を出力するスイッチ３３ａを設け、この検知信号に基づいて、ストロボ発光部４ｂの露呈位置への移動を禁止するストロボ移動禁止手段２８を作動させるようにしている。一方、視野ユニット１７が水平位置に戻された場合には、図１４（Ｂ）に示すように、スイッチ３３ａは、作動せず、検知信号は出力されない。因みに、この動作をさせるブロック回路図を図１５に示す。図１５中、ストロボ収納位置検知手段２６、表示手段２９、ストロボ移動手段３０の機能は、実施例１の場合と同様であり、視野ユニット回動検知手段の検知信号に基づいて作動する。なお、図中、３５はシンクロ信号接点、３６は、ＥＶＦ装置８のカムスイッチ３３ａと接続されている検知信号端子３７と当接して電気的接続を行う検知信号接点で、この検知信号接点３６を通じて、カメラ本体１に検出信号が送給されるものである。また、３８は視度補正用のつまみである。
【００２３】
以上のように、本実施例のストロボ内蔵カメラにおいて、ＥＶＦ装置８の視野ユニット１７の回動を検知して検知信号を出力する視野ユニット回動検知手段３１を設けたので、視野ユニット１７の回動に伴って発生し易い視野ユニットとストロボ発光部４ｂとの衝突を未然に防止することが可能となる。
なお、本実施例においては、水平位置から垂直位置への回動する例を示したが、左右方向への回動においても適用可能である。
また、本実施例においては、外付ユニットとしてＥＶＦ装置を例示したが、カメラ本体１にパソコン等接続し、カメラ本体１で撮像した画像を大型のディスプレイに画面を再生する際のカメラ本体とパソコンを接続する中継アダプタとしても適用可能である。
【００２４】
［実施例３］
上記実施例１、２においては、ストロボ発光部４ｂのポップアップ動作を電気的制御によって禁止したが、本実施例では機械的な機構によって禁止するようにしている。
図１６は、本実施例におけるストロボ内蔵カメラの上面図である。図１６中、実施例１の構成と同一構成については、同一符号を付し、説明を省略する。
本実施例では、図１６に示すように、カメラ本体１の上部であって、アクセサリーシュー７内のストロボ発光部ユニット４側にストロボ移動禁止部材として棒状のロックピン４０を設けるようにした点に特徴がある。
図１７はアクセサリーシューにＥＶＦ装置を装着する前のロックピン周辺の模式図であり、（ａ）は上面図、（ｂ）は側面図である。また図１８はアクセサリーシューにＥＶＦ装置を装着した後のロックピン周辺の模式図であり、（ａ）は上面図、（ｂ）は側面図である。
図１７（ａ）、（ｂ）に示すように、ロックピン４０は、外付ユニットが何も装着されていない状態（非作動時）には、アクセサリーシュー７内に突出するように、ばね４１によって付勢されており、ロックピン４０の先端４０ａを押圧することにより、ロックピン４０がストロボ発光部ユニット４側へ水平に移動可能となっている。
【００２５】
次に、ＥＶＦ装置８をガイド溝に沿って挿入すると、図１８（ａ）、（ｂ）に示すように、ロックピン４０の先端４０ａがＥＶＦ装置８によって押圧され、ロックピン４０がストロボ発光部ユニット４側へ移動し、ロックピン４０の後端がストロボ発光部ユニット４に設けられた挿入孔４２に挿入され、ストロボ発光部ユニット４のポップアップが制限される。すなわち、図１８（ａ）、（ｂ）に示すように、ＥＶＦ装置８によって押圧されて移動したロックピン４０は、挿入孔４２に挿入されているため、この状態でストロボ発光部ユニット４をポップアップさせようとしても、ロックピン４０がストロボ発光部ユニット４内で引っかかり、ストロボ発光部ユニット４のポップアップが阻止される。このようにして、ストロボ発光部４ｂの露呈位置への移動が禁止される。
また、図示しないが、ストロボ発光部４ｂが露呈位置にあるときに、ＥＶＦ装置８を装着した場合には、ロックピン４０の動作を妨げるものがないから、ＥＶＦ装置８は正しい位置に装着され、固定される。しかし、ロックピン４０は、露呈したストロボ発光部４ｂの下部で、突出した状態にあるからこの状態でストロボ発光部４ｂを収納位置に移動させようとすると、ロックピン４０とストロボ発光部４ｂが当接し、ストロボ発光部４ｂを収納できないようになっている。
【００２６】
ところで、アクセサリーシュー７には、ＥＶＦ装置８以外の外付ユニットが装着されることもある。例えば、外付ユニット非使用時に装着し、コネクタ部２０等を保護し、埃の付着を防止するシューキャップが一例として挙げられる。シューキャップを装着する場合は、ＥＶＦ装置８を装着する場合と異なり、シューキャップが露呈位置にあるストロボ発光部と当接することはないから、ストロボ発光部の移動等を禁止する必要はない上、ストロボ発光部ユニット４のポップアップが使用できなければ逆に不便である。
図１９は、アクセサリーシュー７にシューキャップ４３を装着したときのロックピン４０周辺を模式的に示した図である。シューキャップ４３には、シューキャップ４３とロックピン４０の先端４０ａが当接しないように切り欠き４４が設けられ、シューキャップ４３を装着しても、ロックピン４０は切り欠き４４内に入り、ロックピン４０が押圧されないようになっている。つまり、外付ユニットであるシューキャップ４３をアクセサリーシュー７内に装着したときに、ロックピン（ストロボ移動禁止部材）４０によるストロボ発光部ユニット４の移動の禁止を解除する解除手段として切り欠き４４をシューキャップ４３に備えるようにした。このようにすれば、ロックピン４０は、ストロボ発光部ユニット４側へ移動しないから、ストロボ発光部ユニット４のポップアップを自由に使うことができる。
【００２７】
また、上述の切り欠き４４は、もちろんシューキャップに限らず、他の外付ユニットに設けても良い。例えば、カメラを保持しなくともカメラ操作を可能とするための小型のリモートコントロールユニット等である。すなわち、露呈位置にあるストロボ発光部と衝突することがない外付ユニットに切り欠き４４を設けることで、ストロボ発光部ユニット４のポップアップと、外付ユニットとを同時に使用することが可能となる。
以上のように、本実施例のストロボ内蔵カメラにおいては、外付ユニットが装着されたときにストロボ発光部４ｂの露呈位置への移動を機械的な機構によって禁止するので、ストロボ内蔵カメラの電源が入っているか否かにかかわらずストロボ発光部ユニット４のポップアップが制限されて、外付ユニットとストロボ発光部ユニット４の衝突を未然に防止することができる。
また、本実施形態では、ストロボ発光部４ｂが露呈位置にある状態で外付ユニットが装着された場合であってもストロボ発光部４ｂを収納位置に戻したときにストロボ発光部４ｂの露呈位置への移動が禁止されるので、ストロボ発光部ユニット４の破損を防止することができる。
さらに、外付ユニットに必要に応じて切り欠き４４を設けたので、外付ユニットとストロボ発光部ユニット４とが衝突する恐れがない場合には、ストロボ発光部ユニット４のポップアップと外付ユニットとを同時に使用することが可能となる。
【図面の簡単な説明】
【００２８】
【図１】本発明による実施例１のストロボ内蔵カメラの斜視図である。
【図２】図１の上面図である。
【図３】本発明による実施例１のストロボ内蔵カメラに外付けされるＥＶＦ装置の前面から見た斜視図である。
【図４】本発明による実施例１のストロボ内蔵カメラに外付けされるＥＶＦ装置の背面から見た斜視図である。
【図５】図３のＡ−Ａ線上で切断した断面図である。
【図６】本発明による実施例１のＥＶＦ装置を外付けしたストロボ内蔵カメラの正面図である。
【図７】本発明による実施例１のＥＶＦ装置を外付けしたストロボ内蔵カメラの背面図である。
【図８】図６のＢ−Ｂ線上で切断した断面図である。
【図９】本発明による実施例１のＥＶＦ装置を外付けしたストロボ内蔵カメラのストロボ発光部をポップアップした状態を示す斜視図である。
【図１０】本発明による実施例１のＥＶＦ装置を外付けしたストロボ内蔵カメラのストロボ発光部を収納位置に収納した状態を示す斜視図である。
【図１１】本発明による実施例１のストロボ内蔵カメラのストロボ移動禁止手段を制御するブロック回路図である。
【図１２】本発明による実施例２のストロボ内蔵カメラに外付けされるＥＶＦ装置の縦断面図である。
【図１３】本発明による実施例２のストロボ内蔵カメラ本体の一部を切り欠いた縦断面図である。
【図１４】本発明による実施例２の視野ユニット回動検知スイッチの動作を示す図で、（Ａ）はスイッチが作動状態を示す図であり、（Ｂ）は非作動状態を示す模式図である。
【図１５】本発明による実施例２のストロボ内蔵カメラのストロボ移動禁止手段を制御するブロック回路図である。
【図１６】本発明による実施例３のストロボ内蔵カメラの上面図である。
【図１７】アクセサリーシューにＥＶＦ装置を装着する前のロックピン周辺の模式図であり、（ａ）は上面図、（ｂ）は側面図である。
【図１８】アクセサリーシューにＥＶＦ装置を装着した後のロックピン周辺の模式図であり、（ａ）は上面図、（ｂ）は側面図である。
【図１９】アクセサリーシューにシューキャップを装着したときのロックピン周辺の構造を模式的に示した図である。
【符号の説明】
【００２９】
１…カメラ本体、２…撮影レンズ、３…鏡筒部、４…ストロボ発光部ユニット、４ａ…ユニットケース、４ｂ…ストロボ発光部、４ｃ…ステー、７…アクセサリーシュー、７ｂ…嵌合溝部、７ｄ…係合凹部、８…ＥＶＦ装置、８ａ…嵌合突部、９…ＬＣＤパネル、１０…レンズ、１１…視野窓、１３…接続部材、１４…ロック部材、１４ａ…ロック爪部、１７…視野ユニット、１９…開口、２０…コネクタ部、２２…検知レバー、２３…検知スイッチ、２４…表示装置、２５…保持部、２６…ストロボ収納位置検出手段、２７…制御部、２８…ストロボ移動禁止手段、２９…表示手段、３０…ストロボ移動手段、３３…視野ユニット回動検知手段（カムスイッチ）、４０…ロックピン、４０ａ…先端、４２…挿入孔、４３…シューキャップ、４４…切り欠き
【図１】
2008262141.tif 000003
【図２】
2008262141.tif 000004
【図３】
2008262141.tif 000005
【図４】
2008262141.tif 000006
【図５】
2008262141.tif 000007
【図６】
2008262141.tif 000008
【図７】
2008262141.tif 000009
【図８】
2008262141.tif 000010
【図９】
2008262141.tif 000011
【図１０】
2008262141.tif 000012
【図１１】
2008262141.tif 000013
【図１２】
2008262141.tif 000014
【図１３】
2008262141.tif 000015
【図１４】
2008262141.tif 000016
【図１５】
2008262141.tif 000017
【図１６】
2008262141.tif 000018
【図１７】
2008262141.tif 000019
【図１８】
2008262141.tif 000020
【図１９】
2008262141.tif 000021